(57)【要約】【課題】  利用者の所望するアドレス情報を、各通信端末装置固有のデータ形式に変換して格納することが可能となるアドレス情報通知システムを提供する。【解決手段】  移動体通信端末装置（１００）は、利用者の所望するアドレス情報を取得するための検索条件情報を電話番号案内装置（２００）に送信する。電話番号案内装置（２００）は、受信した検索条件情報と合致するアドレス情報を電話番号データベース（２０３）から検索取得し、その検索取得した検索条件情報と合致するアドレス情報を移動体通信端末装置（１００）に送信する。移動体通信端末装置（１００）は、電話番号案内装置（２００）から検索条件情報に合致するアドレス情報を受信し、その受信したアドレス情報を移動体通信端末装置（１００）固有のデータ形式に変換し、アドレス情報格納部（１０４）に格納し、そのアドレス情報格納部（１０４）に格納されたアドレス情報を基に、該アドレス情報先の通信端末装置に接続する。【選択図】  図１
2005260568.tif 000002
【特許請求の範囲】
【請求項１】
通信端末装置にアドレス情報を通知するアドレス情報案内装置であって、
アドレス情報を格納するアドレス情報格納手段と、
前記アドレス情報を取得するための検索条件情報を前記通信端末装置から受信した際に、該受信した検索条件情報と合致するアドレス情報を前記アドレス情報格納手段から検索取得する検索手段と、
前記検索取得した前記検索条件情報と合致するアドレス情報と、前記検索条件情報と、を含有する検索情報を作成する検索情報作成手段と、
前記検索情報を前記通信端末装置に送信する検索情報送信手段と、
を有することを特徴とするアドレス情報案内装置。
【請求項２】
前記通信端末装置から受信した検索条件情報と合致するアドレス情報が前記アドレス情報格納手段から検索取得できない場合には、その旨の情報と、前記検索条件情報と、を含有する検索情報を作成し、該作成した検索情報を前記通信端末装置に送信することを特徴とする請求項１記載のアドレス情報案内装置。
【請求項３】
アドレス情報を案内するアドレス情報案内装置から利用者の所望するアドレス情報を取得する通信端末装置であって、
前記利用者の所望するアドレス情報を検索するための検索条件情報を前記アドレス情報案内装置に送信する検索条件情報送信手段と、
前記アドレス情報案内装置から前記検索条件情報に合致するアドレス情報を受信するアドレス情報受信手段と、
前記受信したアドレス情報を前記通信端末装置固有のデータ形式に変換し格納するアドレス情報格納手段と、
前記アドレス情報格納手段に格納されたアドレス情報を基に、該アドレス情報先の通信端末装置に接続する接続手段と、
を有することを特徴とする通信端末装置。
【請求項４】
通信端末装置と、アドレス情報を前記通信端末装置に通知するアドレス情報案内装置と、がネットワークを介して接続されたアドレス情報通知システムであって、
前記通信端末装置は、
利用者の所望するアドレス情報を取得するための検索条件情報を前記アドレス情報案内装置に送信する検索条件情報送信手段と、
前記アドレス情報案内装置から前記検索条件情報に合致するアドレス情報を受信するアドレス情報受信手段と、
前記受信したアドレス情報を前記通信端末装置固有のデータ形式に変換し格納するアドレス情報格納手段と、
前記アドレス情報格納手段に格納されたアドレス情報を基に、該アドレス情報先の通信端末装置に接続する接続手段と、
を有し、
前記アドレス情報案内装置は、
アドレス情報を格納するアドレス情報格納手段と、
前記通信端末装置から受信した検索条件情報と合致するアドレス情報を前記アドレス情報格納手段から検索取得する検索手段と、
前記検索取得した前記検索条件情報と合致するアドレス情報を前記通信端末装置に送信するアドレス情報送信手段と、
を有することを特徴とするアドレス情報通知システム。
【請求項５】
前記アドレス情報案内装置は、
前記検索取得した前記検索条件情報と合致するアドレス情報と、前記検索条件情報と、を含有する検索情報を作成する検索情報作成手段を有し、
前記検索情報を前記通信端末装置に送信し、
前記通信端末装置は、
前記アドレス情報案内装置から前記検索情報を受信し、該受信した検索情報を前記通信端末装置固有のデータ形式に変換し、格納することを特徴とする請求項４記載のアドレス情報通知システム。
【請求項６】
前記アドレス情報案内装置は、
前記通信端末装置から受信した検索条件情報と合致するアドレス情報が前記アドレス情報格納手段から検索取得できない場合には、その旨の情報と、前記検索条件情報と、を含有する検索情報を作成し、該作成した検索情報を前記通信端末装置に送信することを特徴とする請求項４または５記載のアドレス情報通知システム。
【請求項７】
アドレス情報を格納する格納部を有し、通信端末装置に前記アドレス情報を通知するアドレス情報案内装置で行うアドレス情報通知方法であって、
前記アドレス情報案内装置は、
前記アドレス情報を取得するための検索条件情報を前記通信端末装置から受信した際に、該受信した検索条件情報と合致するアドレス情報を前記アドレス情報案内装置の具備する格納部から検索取得する検索工程と、
前記検索取得した前記検索条件情報と合致するアドレス情報と、前記検索条件情報と、を含有する検索情報を作成する検索情報作成工程と、
前記検索情報を前記通信端末装置に送信する検索情報送信工程と、
を行うことを特徴とするアドレス情報通知方法。
【請求項８】
前記アドレス情報案内装置は、
前記通信端末装置から受信した検索条件情報と合致するアドレス情報が前記格納部から検索取得できない場合には、その旨の情報と、前記検索条件情報と、を含有する検索情報を作成し、該作成した検索情報を前記通信端末装置に送信することを特徴とする請求項７記載のアドレス情報通知方法。
【請求項９】
アドレス情報を案内するアドレス情報案内装置から利用者の所望するアドレス情報を取得する通信端末装置で行うアドレス情報通知方法であって、
前記通信端末装置は、
前記利用者の所望するアドレス情報を検索するための検索条件情報を前記アドレス情報案内装置に送信する検索条件情報送信工程と、
前記アドレス情報案内装置から前記検索条件情報に合致するアドレス情報を受信するアドレス情報受信工程と、
前記受信したアドレス情報を前記通信端末装置固有のデータ形式に変換し、前記通信端末装置の具備する格納部に格納するアドレス情報格納工程と、
前記格納部に格納されたアドレス情報を基に、該アドレス情報先の通信端末装置に接続する接続工程と、
を行うことを特徴とするアドレス情報通知方法。
【請求項１０】
通信端末装置と、アドレス情報を前記通信端末装置に通知するアドレス情報案内装置と、がネットワークを介して接続されたアドレス情報通知システムで行うアドレス情報通知方法であって、
前記通信端末装置が、利用者の所望するアドレス情報を取得するための検索条件情報を前記アドレス情報案内装置に送信する検索条件情報送信工程と、
前記アドレス情報案内装置が、前記通信端末装置から受信した検索条件情報と合致するアドレス情報を前記アドレス情報案内装置の具備する格納部から検索取得する検索工程と、
前記アドレス情報案内装置が、前記検索取得した前記検索条件情報と合致するアドレス情報を前記通信端末装置に送信するアドレス情報送信工程と、
前記通信端末装置が、前記アドレス情報案内装置から前記検索条件情報に合致するアドレス情報を受信するアドレス情報受信工程と、
前記通信端末装置が、前記受信したアドレス情報を前記通信端末装置固有のデータ形式に変換し、前記通信端末装置の具備する格納部に格納するアドレス情報格納工程と、
前記通信端末装置が、前記格納部に格納されたアドレス情報を基に、該アドレス情報先の通信端末装置に接続する接続工程と、
を行うことを特徴とするアドレス情報通知方法。
【請求項１１】
前記アドレス情報案内装置が、前記検索取得した前記検索条件情報と合致するアドレス情報と、前記検索条件情報と、を含有する検索情報を作成し、該作成した検索情報を前記通信端末装置に送信する工程と、
前記通信端末装置が、前記アドレス情報案内装置から前記検索情報を受信し、該受信した検索情報を前記通信端末装置固有のデータ形式に変換し、前記格納部に格納する工程と、
を行うことを特徴とする請求項１０記載のアドレス情報通知方法。
【請求項１２】
前記アドレス情報案内装置が、前記通信端末装置から受信した検索条件情報と合致するアドレス情報が前記格納部から検索取得できない場合には、その旨の情報と、前記検索条件情報と、を含有する検索情報を作成し、該作成した検索情報を前記通信端末装置に送信する工程を行うことを特徴とする請求項１０または１１記載のアドレス情報通知方法。
【請求項１３】
アドレス情報を格納する格納部を有し、通信端末装置に前記アドレス情報を通知するアドレス情報案内装置で実行させるアドレス情報通知プログラムであって、
前記アドレス情報を取得するための検索条件情報を前記通信端末装置から受信した際に、該受信した検索条件情報と合致するアドレス情報を前記アドレス情報案内装置の具備する格納部から検索取得する検索処理と、
前記検索取得した前記検索条件情報と合致するアドレス情報と、前記検索条件情報と、を含有する検索情報を作成する検索情報作成処理と、
前記検索情報を前記通信端末装置に送信する検索情報送信処理と、
を前記アドレス情報案内装置に実行させることを特徴とするアドレス情報通知プログラム。
【請求項１４】
前記通信端末装置から受信した検索条件情報と合致するアドレス情報が前記格納部から検索取得できない場合には、その旨の情報と、前記検索条件情報と、を含有する検索情報を作成し、該作成した検索情報を前記通信端末装置に送信する処理を前記アドレス情報案内装置に実行させることを特徴とする請求項１３記載のアドレス情報通知プログラム。
【請求項１５】
アドレス情報を案内するアドレス情報案内装置から利用者の所望するアドレス情報を取得する通信端末装置で実行させるアドレス情報通知プログラムであって、
前記利用者の所望するアドレス情報を検索するための検索条件情報を前記アドレス情報案内装置に送信する検索条件情報送信処理と、
前記アドレス情報案内装置から前記検索条件情報に合致するアドレス情報を受信するアドレス情報受信処理と、
前記受信したアドレス情報を前記通信端末装置固有のデータ形式に変換し、前記通信端末装置の具備する格納部に格納するアドレス情報格納処理と、
前記格納部に格納されたアドレス情報を基に、該アドレス情報先の通信端末装置に接続する接続処理と、
を前記通信端末装置に実行させることを特徴とするアドレス情報通知プログラム。
【発明の詳細な説明】
【技術分野】
【０００１】
本発明は、利用者の所望する電話番号等のアドレス情報を携帯電話機等の通信端末装置に通知するアドレス情報通知システム、そのアドレス情報通知システムに用いられるアドレス情報案内装置、通信端末装置、アドレス情報通知方法及びアドレス情報通知プログラムに関するものである。
【背景技術】
【０００２】
一般的に、電話番号の案内サービスを利用する利用者は、音声で案内された電話番号を頭で記憶したり、メモに書き取るなどしたりしていた。また、電話番号の案内サービスを利用して取得した電話番号の通信端末装置と接続するには、通信端末装置の具備する操作部上からその電話番号を入力する必要があった。
【０００３】
なお、音声案内で通知される電話番号は、通常１０桁以上の数値であり、音声案内で電話番号を聞いてもその電話番号を正確に把握することは必ずしも容易ではない。また、利用者が電話番号をメモに書き取る方法も考えられるが、外出先で筆記用具がない場合や両手がふさがっている場合にはメモを書き取ることができないことになる。また、音声案内にて取得した電話番号の相手側に対して電話をかける場合には、通信端末装置の具備する操作部上から電話番号を入力しなければならず、その通信端末装置上での操作が煩雑であるとともに、誤入力の虞がある。また、音声案内にて取得した電話番号を通信端末装置に登録するには、氏名、電話番号などのアドレス情報を通信端末装置の具備する操作部を用いて入力しなければならず、誤操作、誤入力の虞がある。
【０００４】
このようなことから、本発明より先に出願された技術文献として、電子メールが受信可能な携帯電話を利用し、電話番号案内サービスで検索した電話番号を電子メールで取得し、その取得した電子メール内に記載されたハイパーリンクされた電話番号をクリックすることで、そのクリックされた電話番号に対してダイアリングを行うものがある（例えば、特許文献１参照）。
【０００５】
また、発信側の電話装置が予め自分で作成した個人情報を、受信側の電話装置の電話帳に登録要求し、受信側の電話装置が個人情報登録を選択したときにのみその受信側の電話装置の電話帳に個人情報を登録するようにし、入力装置を使用することなく、発信側の電話装置の個人情報を受信側の電話装置に登録することを可能とするものがある（例えば、特許文献２参照）。
【０００６】
また、ネットワークに接続されたユーザ端末から送信された電話番号検索条件を受信し、その受信した電話番号検索条件に基づき、所定のデータベースに予め登録されている電話番号情報を検出し、その検出した電話番号情報をユーザ端末に返信し、ユーザ端末がその受信した電話番号情報を格納するものがある（例えば、特許文献３参照）。
【特許文献１】特開２００１−１８６２６０号公報
【特許文献２】特開２００２−１５２３６１号公報
【特許文献３】特開２００２−３００３０６号公報
【発明の開示】
【発明が解決しようとする課題】
【０００７】
なお、通常、携帯電話機には、氏名、電話番号、電子メールアドレスなどのアドレス情報を携帯電話機内に記録することを可能とするアドレス機能が搭載されており、携帯電話機は、携帯電話機の保持する利用者が、そのアドレス機能を用いて携帯電話機に登録された電話番号を、携帯電話機の具備する操作部を用いて選択し、その選択された電話番号に対してダイアリングを行うことが可能となるように構築されている。しかしながら上記特許文献１は、電子メール内に記載されたハイパーテキストマークアップ言語（ＨＴＭＬ：ＨｙｐｅｒＴｅｘｔ  Ｍａｒｋｕｐ  Ｌａｎｇｕａｇｅ）に自動ダイアリングを行うスクリプト（プログラム）を起動するためのコマンドを新たに追加する必要がある。
【０００８】
また、上記特許文献２は、発信側の電話装置が予め作成した個人情報を、受信側の電話装置が容認したときにのみ受信側の電話装置に登録するようにしたものであることから、受信側の所望する個人情報だけが発信側から送信されるように構築されたものではない。
【０００９】
また、上記特許文献３は、ユーザ端末から送信された電話番号検索条件に基づき、所定のデータベースに予め登録されている電話番号情報を検出し、その検出した電話番号情報をユーザ端末に返信し、ユーザ端末がその受信した電話番号情報を格納するものであるが、その返信される電話番号情報がどのような形式で送信されるかについては何ら言及されていない。
【００１０】
本発明は、上記事情に鑑みてなされたものであり、利用者の所望するアドレス情報を、各通信端末装置固有のデータ形式に変換して格納することが可能となるアドレス情報案内装置、通信端末装置、アドレス情報通知システム、アドレス情報通知方法及びアドレス情報通知プログラムを提供することを目的とするものである。
【課題を解決するための手段】
【００１１】
かかる目的を達成するために、本発明は以下の特徴を有することとする。
【００１２】
本発明にかかるアドレス情報案内装置は、通信端末装置にアドレス情報を通知するアドレス情報案内装置であって、アドレス情報を格納するアドレス情報格納手段と、アドレス情報を取得するための検索条件情報を通信端末装置から受信した際に、該受信した検索条件情報と合致するアドレス情報をアドレス情報格納手段から検索取得する検索手段と、検索取得した検索条件情報と合致するアドレス情報と、検索条件情報と、を含有する検索情報を作成する検索情報作成手段と、検索情報を通信端末装置に送信する検索情報送信手段と、を有することを特徴とするものである。
【００１３】
また、本発明にかかるアドレス情報案内装置は、通信端末装置から受信した検索条件情報と合致するアドレス情報がアドレス情報格納手段から検索取得できない場合には、その旨の情報と、検索条件情報と、を含有する検索情報を作成し、該作成した検索情報を通信端末装置に送信することを特徴とするものである。
【００１４】
また、本発明にかかる通信端末装置は、アドレス情報を案内するアドレス情報案内装置から利用者の所望するアドレス情報を取得する通信端末装置であって、利用者の所望するアドレス情報を検索するための検索条件情報をアドレス情報案内装置に送信する検索条件情報送信手段と、アドレス情報案内装置から検索条件情報に合致するアドレス情報を受信するアドレス情報受信手段と、受信したアドレス情報を通信端末装置固有のデータ形式に変換し格納するアドレス情報格納手段と、アドレス情報格納手段に格納されたアドレス情報を基に、該アドレス情報先の通信端末装置に接続する接続手段と、を有することを特徴とするものである。
【００１５】
また、本発明にかかるアドレス情報通知システムは、通信端末装置と、アドレス情報を通信端末装置に通知するアドレス情報案内装置と、がネットワークを介して接続されたアドレス情報通知システムであって、通信端末装置は、利用者の所望するアドレス情報を取得するための検索条件情報をアドレス情報案内装置に送信する検索条件情報送信手段と、アドレス情報案内装置から検索条件情報に合致するアドレス情報を受信するアドレス情報受信手段と、受信したアドレス情報を通信端末装置固有のデータ形式に変換し格納するアドレス情報格納手段と、アドレス情報格納手段に格納されたアドレス情報を基に、該アドレス情報先の通信端末装置に接続する接続手段と、を有し、アドレス情報案内装置は、アドレス情報を格納するアドレス情報格納手段と、通信端末装置から受信した検索条件情報と合致するアドレス情報をアドレス情報格納手段から検索取得する検索手段と、検索取得した検索条件情報と合致するアドレス情報を通信端末装置に送信するアドレス情報送信手段と、を有することを特徴とするものである。
【００１６】
また、本発明にかかるアドレス情報通知システムにおいて、アドレス情報案内装置は、検索取得した検索条件情報と合致するアドレス情報と、検索条件情報と、を含有する検索情報を作成する検索情報作成手段を有し、検索情報を通信端末装置に送信し、通信端末装置は、アドレス情報案内装置から検索情報を受信し、該受信した検索情報を通信端末装置固有のデータ形式に変換し、格納することを特徴とするものである。
【００１７】
また、本発明にかかるアドレス情報通知システムにおいて、アドレス情報案内装置は、通信端末装置から受信した検索条件情報と合致するアドレス情報がアドレス情報格納手段から検索取得できない場合には、その旨の情報と、検索条件情報と、を含有する検索情報を作成し、該作成した検索情報を通信端末装置に送信することを特徴とするものである。
【００１８】
また、本発明にかかるアドレス情報通知方法は、アドレス情報を格納する格納部を有し、通信端末装置にアドレス情報を通知するアドレス情報案内装置で行うアドレス情報通知方法であって、アドレス情報案内装置は、アドレス情報を取得するための検索条件情報を通信端末装置から受信した際に、該受信した検索条件情報と合致するアドレス情報をアドレス情報案内装置の具備する格納部から検索取得する検索工程と、検索取得した検索条件情報と合致するアドレス情報と、検索条件情報と、を含有する検索情報を作成する検索情報作成工程と、検索情報を通信端末装置に送信する検索情報送信工程と、を行うことを特徴とするものである。
【００１９】
また、本発明にかかるアドレス情報通知方法において、アドレス情報案内装置は、通信端末装置から受信した検索条件情報と合致するアドレス情報が格納部から検索取得できない場合には、その旨の情報と、検索条件情報と、を含有する検索情報を作成し、該作成した検索情報を通信端末装置に送信することを特徴とするものである。
【００２０】
また、本発明にかかるアドレス情報通知方法は、アドレス情報を案内するアドレス情報案内装置から利用者の所望するアドレス情報を取得する通信端末装置で行うアドレス情報通知方法であって、通信端末装置は、利用者の所望するアドレス情報を検索するための検索条件情報をアドレス情報案内装置に送信する検索条件情報送信工程と、アドレス情報案内装置から検索条件情報に合致するアドレス情報を受信するアドレス情報受信工程と、受信したアドレス情報を通信端末装置固有のデータ形式に変換し、通信端末装置の具備する格納部に格納するアドレス情報格納工程と、格納部に格納されたアドレス情報を基に、該アドレス情報先の通信端末装置に接続する接続工程と、を行うことを特徴とするものである。
【００２１】
また、本発明にかかるアドレス情報通知方法は、通信端末装置と、アドレス情報を通信端末装置に通知するアドレス情報案内装置と、がネットワークを介して接続されたアドレス情報通知システムで行うアドレス情報通知方法であって、通信端末装置が、利用者の所望するアドレス情報を取得するための検索条件情報をアドレス情報案内装置に送信する検索条件情報送信工程と、アドレス情報案内装置が、通信端末装置から受信した検索条件情報と合致するアドレス情報をアドレス情報案内装置の具備する格納部から検索取得する検索工程と、アドレス情報案内装置が、検索取得した検索条件情報と合致するアドレス情報を通信端末装置に送信するアドレス情報送信工程と、通信端末装置が、アドレス情報案内装置から検索条件情報に合致するアドレス情報を受信するアドレス情報受信工程と、通信端末装置が、受信したアドレス情報を通信端末装置固有のデータ形式に変換し、通信端末装置の具備する格納部に格納するアドレス情報格納工程と、通信端末装置が、格納部に格納されたアドレス情報を基に、該アドレス情報先の通信端末装置に接続する接続工程と、を行うことを特徴とするものである。
【００２２】
また、本発明にかかるアドレス情報通知方法は、アドレス情報案内装置が、検索取得した検索条件情報と合致するアドレス情報と、検索条件情報と、を含有する検索情報を作成し、該作成した検索情報を通信端末装置に送信する工程と、通信端末装置が、アドレス情報案内装置から検索情報を受信し、該受信した検索情報を通信端末装置固有のデータ形式に変換し、格納部に格納する工程と、を行うことを特徴とするものである。
【００２３】
また、本発明にかかるアドレス情報通知方法は、アドレス情報案内装置が、通信端末装置から受信した検索条件情報と合致するアドレス情報が格納部から検索取得できない場合には、その旨の情報と、検索条件情報と、を含有する検索情報を作成し、該作成した検索情報を通信端末装置に送信する工程を行うことを特徴とするものである。
【００２４】
また、本発明にかかるアドレス情報通知プログラムは、アドレス情報を格納する格納部を有し、通信端末装置にアドレス情報を通知するアドレス情報案内装置で実行させるアドレス情報通知プログラムであって、アドレス情報を取得するための検索条件情報を通信端末装置から受信した際に、該受信した検索条件情報と合致するアドレス情報をアドレス情報案内装置の具備する格納部から検索取得する検索処理と、検索取得した検索条件情報と合致するアドレス情報と、検索条件情報と、を含有する検索情報を作成する検索情報作成処理と、検索情報を通信端末装置に送信する検索情報送信処理と、をアドレス情報案内装置に実行させることを特徴とするものである。
【００２５】
また、本発明にかかるアドレス情報通知プログラムは、通信端末装置から受信した検索条件情報と合致するアドレス情報が格納部から検索取得できない場合には、その旨の情報と、検索条件情報と、を含有する検索情報を作成し、該作成した検索情報を通信端末装置に送信する処理をアドレス情報案内装置に実行させることを特徴とするものである。
【００２６】
また、本発明にかかるアドレス情報通知プログラムは、アドレス情報を案内するアドレス情報案内装置から利用者の所望するアドレス情報を取得する通信端末装置で実行させるアドレス情報通知プログラムであって、利用者の所望するアドレス情報を検索するための検索条件情報をアドレス情報案内装置に送信する検索条件情報送信処理と、アドレス情報案内装置から検索条件情報に合致するアドレス情報を受信するアドレス情報受信処理と、受信したアドレス情報を通信端末装置固有のデータ形式に変換し、通信端末装置の具備する格納部に格納するアドレス情報格納処理と、格納部に格納されたアドレス情報を基に、該アドレス情報先の通信端末装置に接続する接続処理と、を通信端末装置に実行させることを特徴とするものである。
【００２７】
なお、本発明において、通信端末装置は、携帯情報端末（ＰＤＡ：Ｐｅｒｓｏｎａｌ  Ｄｉｇｉｔａｌ  Ａｓｓｉｓｔａｎｔ）やモバイル通信端末のような通信機能付きの情報端末が適用可能である。
【発明の効果】
【００２８】
本発明にかかるアドレス情報案内装置、そのアドレス情報案内装置で行うアドレス情報通知方法、及び、そのアドレス情報案内装置で実行されるアドレス情報通知プログラムは、アドレス情報を取得するための検索条件情報を通信端末装置から受信した際に、該受信した検索条件情報と合致するアドレス情報をアドレス情報案内装置の具備する格納部から検索取得し、その検索取得した検索条件情報と合致するアドレス情報と、検索条件情報と、を含有する検索情報を作成し、その作成した検索情報を通信端末装置に送信することで、通信端末装置側で、利用者の所望するアドレス情報を、各通信端末装置固有のデータ形式に変換して格納することが可能となる。
【００２９】
また、本発明にかかる通信端末装置、その通信端末装置で行うアドレス情報通知方法、及び、その通信端末装置で実行されるアドレス情報通知プログラムは、利用者の所望するアドレス情報を検索するための検索条件情報をアドレス情報案内装置に送信し、そのアドレス情報案内装置から検索条件情報に合致するアドレス情報を受信し、その受信したアドレス情報を通信端末装置固有のデータ形式に変換し、通信端末装置の具備する格納部に格納し、その格納部に格納されたアドレス情報を基に、該アドレス情報先の通信端末装置に接続することで、利用者の所望するアドレス情報を、各通信端末装置固有のデータ形式に変換して格納することが可能となり、その格納したアドレス情報を基に、該アドレス情報先の通信端末装置に接続することが可能となる。
【００３０】
また、本発明にかかるアドレス情報通知システム、そのアドレス情報通知システムで行うアドレス情報通知方法は、通信端末装置が、利用者の所望するアドレス情報を取得するための検索条件情報をアドレス情報案内装置に送信し、アドレス情報案内装置が、通信端末装置から受信した検索条件情報と合致するアドレス情報をアドレス情報案内装置の具備する格納部から検索取得し、その検索取得した検索条件情報と合致するアドレス情報を通信端末装置に送信し、通信端末装置が、アドレス情報案内装置から検索条件情報に合致するアドレス情報を受信し、その受信したアドレス情報を通信端末装置固有のデータ形式に変換し、通信端末装置の具備する格納部に格納し、その格納部に格納されたアドレス情報を基に、該アドレス情報先の通信端末装置に接続することで、利用者の所望するアドレス情報を、各通信端末装置固有のデータ形式に変換して通信端末装置に格納することが可能となり、通信端末装置は、その格納したアドレス情報を基に、該アドレス情報先の通信端末装置に接続することが可能となる。
【発明を実施するための最良の形態】
【００３１】
（発明の特徴）
まず、図１を参照しながら、本発明のアドレス情報通知システムの特徴について説明する。
【００３２】
本発明にかかるアドレス情報通知システムは、通信端末装置（１００）と、アドレス情報を通信端末装置（１００）に通知するアドレス情報案内装置（２００）と、がネットワーク（３００）を介して接続されたシステムであり、通信端末装置（１００）は、利用者の所望するアドレス情報を取得するための検索条件情報をアドレス情報案内装置（２００）に送信する。アドレス情報案内装置（２００）は、通信端末装置（１００）から受信した検索条件情報と合致するアドレス情報をアドレス情報案内装置（２００）の具備する格納部（２０３）から検索取得し、その検索取得した検索条件情報と合致するアドレス情報を通信端末装置（１００）に送信する。通信端末装置（１００）は、アドレス情報案内装置（２００）から検索条件情報に合致するアドレス情報を受信し、その受信したアドレス情報を通信端末装置（１００）固有のデータ形式に変換し、通信端末装置（１００）の具備する格納部（１０４）に格納し、その格納部（１０４）に格納されたアドレス情報を基に、該アドレス情報先の通信端末装置に接続することになる。これにより、利用者の所望するアドレス情報を、各通信端末装置固有のデータ形式に変換して通信端末装置（１００）に格納することが可能となり、通信端末装置（１００）は、その格納したアドレス情報を基に、該アドレス情報先の通信端末装置に接続することが可能となる。
【００３３】
以下、添付図面を参照しながら、本発明を実施するための最良の形態について詳細に説明する。
【００３４】
まず、図１を参照しながら、本発明にかかるアドレス情報通知システムのシステム構成について説明する。
【００３５】
本発明にかかるアドレス情報通知システムは、移動体通信端末装置（１００）と、電話番号案内装置（２００）と、がネットワーク（３００）を介して接続されて構成される。なお、ネットワーク（３００）は、移動体通信端末装置（１００）と、電話番号案内装置（２００）と、の間で情報が双方向に送受信可能な通信網であれば、特に限定するものではなく、インターネット通信回線等の通信網が適用可能である。
【００３６】
（移動体通信端末装置（１００））
移動体通信端末装置（１００）は、利用者の保持する通信端末装置であり、データ送受信手段（１０１）と、データ変換手段（１０２）と、データ登録手段（１０３）と、アドレス情報格納部（１０４）と、を有して構成される。
【００３７】
データ送受信手段（１０１）は、電話番号を検索する検索キーとなる電話番号検索条件情報を、ネットワーク（３００）を介して電話番号案内装置（２００）に送信する機能を有する。また、データ送受信手段（１０１）は、電話番号案内装置（２００）に送信した電話番号検索条件情報を基に電話番号案内装置（２００）において検索されたアドレス情報を受信する機能を有する。
【００３８】
アドレス情報格納部（１０４）は、氏名、電話番号等のアドレス情報を格納するためのデータベースである。なお、アドレス情報格納部（１０４）は、電子メールアドレス、住所、生年月日、画像データ、位置情報などの情報を格納することも可能である。また、このアドレス情報格納部（１０４）に格納されるアドレス情報のデータ形式は、移動体通信端末装置（１００）でそれぞれ固有のデータ形式となっているものとする。なお、移動体通信端末装置（１００）は、アドレス情報格納部（１０４）に格納されたアドレス情報に含まれる電話番号の通信端末装置に直接ダイアリングすることができる機能を有する。
【００３９】
データ変換手段（１０２）は、電話番号案内装置（２００）から送信された氏名、電話番号等のアドレス情報を、アドレス情報格納部（１０４）に格納できるように、移動体通信端末装置（１００）でそれぞれ固有のデータ形式に変換する機能を有するものである。
【００４０】
データ登録手段（１０３）は、データ変換手段（１０２）により変換されたアドレス情報をアドレス情報格納部（１０４）に格納する機能を有するものである。
【００４１】
（電話番号案内装置（２００））
電話番号案内装置（２００）は、利用者の所望する電話番号を案内するための電話番号案内センタの保有する情報処理装置であり、データ送受信手段（２０１）と、電話番号検索手段（２０２）と、電話番号データベース（２０３）と、データ作成手段（２０４）と、を有して構成される。
【００４２】
データ送受信手段（２０１）は、移動体通信端末装置（１００）からネットワーク（３００）を介して検索キーとなる電話番号検索条件情報を受信する機能を有する。また、データ送受信手段（２０１）は、移動体通信端末装置（１００）から受信した検索キーとなる電話番号検索条件情報を基に電話番号案内装置（２００）において検索したアドレス情報を移動体通信端末装置（１００）に送信する機能を有する。
【００４３】
電話番号データベース（２０３）は、電話番号案内の際に用いる顧客情報が登録されたデータベースであり、少なくとも氏名と、住所と、電話番号と、を含むアドレス情報を格納するデータベースである。なお、電話番号データベース（２０３）に、氏名と、電話番号と、が格納される場合は、検索キーとなる電話番号検索条件情報は、氏名、住所との少なくとも１つの情報となり、その電話番号検索条件情報を基に検索されるアドレス情報が電話番号となる。
【００４４】
電話番号検索手段（２０２）は、移動体通信端末装置（１００）から受信した電話番号検索条件情報を基に、電話番号データベース（２０３）を検索し、電話番号検索条件情報と一致するアドレス情報を取得する機能を有する。
【００４５】
データ作成手段（２０４）は、電話番号検索手段（２０２）により検索取得されたアドレス情報を基に移動体通信端末装置（１００）に送信するためのアドレス情報を作成する機能を有する。これにより、データ送受信手段（２０１）は、データ作成手段（２０３）により作成されたアドレス情報をネットワーク（３００）を介して移動体通信端末装置（１００）に送信することになる。
【００４６】
次に、図２を参照しながら、図１に示唆するアドレス情報通知システムでの処理動作について説明する。
【００４７】
まず、電話番号案内サービスを利用したい利用者は、移動体通信端末装置（１００）の具備する操作部上から、氏名などの検索キーとなる電話番号検索条件情報を入力することになり、移動体通信端末装置（１００）の具備するデータ送受信手段（１０１）は、操作部上から入力された電話番号検索条件情報を、ネットワーク（１００）を介して電話番号案内装置（２００）に送信することになる（ステップＡ１）。
【００４８】
次に、電話番号案内装置（２００）の具備するデータ送受信手段（２０１）は、移動体通信端末装置（１００）から送信された電話番号検索条件情報を受信し、データ送受信手段（２０１）は、その受信した電話番号検索条件情報を電話番号検索手段（２０２）に送信する。
【００４９】
電話番号検索手段（２０２）は、データ送受信手段（２０１）から受信した電話番号検索条件情報を基に、電話番号データベース（２０３）を検索し、電話番号検索条件情報と一致するアドレス情報があるか否かを判定することになる（ステップＢ１）。電話番号検索手段（２０２）は、電話番号検索条件情報と一致するアドレス情報があると判定した場合は、その電話番号検索条件情報と一致するアドレス情報を取得することになり、電話番号検索手段（２０２）は、その検索取得したアドレス情報と、電話番号検索条件情報と、をデータ作成手段（２０４）に送信することになる。データ作成手段（２０４）は、電話番号検索手段（２０２）から受信したアドレス情報と、電話番号検索条件情報と、を基に、そのアドレス情報と電話番号検索条件情報とを含有したデータ形式で送信データを作成することになる（ステップＢ２）。
【００５０】
また、電話番号検索手段（２０２）は、電話番号検索条件情報と一致するアドレス情報がないと判定した場合は、電話番号検索条件情報と一致するアドレス情報がない旨の情報と、電話番号検索条件情報と、をデータ作成手段（２０４）に送信することになる。データ作成手段（２０４）は、電話番号検索手段（２０２）から受信した、電話番号検索条件情報と一致するアドレス情報がない旨の情報と、電話番号検索条件情報と、を基に、「電話番号検索条件情報に該当するアドレス情報なし」を意味する送信データを作成することになる（ステップＢ２）。
【００５１】
そして、データ作成手段（２０４）にて作成された送信データは、データ送受信手段（２０１）に送信され、データ送受信手段（２０１）は、データ作成手段（２０４）が作成した送信データを、ネットワーク（３００）を介して移動体通信端末装置（１００）に送信することになる（ステップＢ３）。
【００５２】
電話番号案内装置（２００）の具備するデータ送受信手段（２０１）が送信した送信データは、移動体通信端末装置（１００）の具備するデータ送受信手段（１０１）が受信することになり、移動体通信端末装置（１００）は、データ送受信手段（１０１）が受信した送信データを基に、電話番号検索条件情報に該当するアドレス情報があったか否かを判断することになる（ステップＡ２）。
【００５３】
移動体通信端末装置（１００）は、データ送受信手段（１０１）が受信した送信データの中に、電話番号検索条件情報に該当するアドレス情報が含まれていないと判断した場合は（ステップＡ２／Ｎｏ）、移動体通信端末装置（１００）は、移動体通信端末装置（１００）の具備する表示部上に「電話番号検索条件情報に該当するアドレス情報なし」を意味する情報を表示することになる（ステップＡ３）。そして、移動体通信端末装置（１００）は、検索キーワードとなる電話番号検索条件情報を変更し、検索処理を再度行うか、または、検索処理を中断するかを選択させるための選択画面を移動体通信端末装置（１００）の具備する表示部上に表示することになる。
【００５４】
これにより、移動体通信端末装置（１００）を保有する利用者に対して、検索キーワードとなる電話番号検索条件情報を変更し、検索処理を再度行うか、または、検索処理を中断するかを、移動体通信端末装置（１００）の具備する操作部上から選択させることが可能となる。
【００５５】
また、移動体通信端末装置（１００）は、データ送受信手段（１０１）が受信した送信データの中に、電話番号検索条件情報に該当するアドレス情報が含まれていると判断した場合は（ステップＡ２／Ｙｅｓ）、移動体通信端末装置（１００）は、データ送受信手段（１０１）が受信した送信データをデータ変換手段（１０２）に送信し、データ変換手段（１０２）は、データ送受信手段（１０１）が電話番号案内装置（２００）から受信した送信データを、移動体通信端末装置（１００）固有のアドレス情報のデータ形式に変換し（ステップＡ４）、その移動体通信端末装置（１００）固有のアドレス情報に変換した変換データをデータ登録手段（１０３）に送信することになる。
【００５６】
データ登録手段（１０３）は、データ変換手段（１０２）から受信した変換データを、アドレス情報格納部（１０４）に格納することになり（ステップＡ５）、移動体通信端末装置（１００）は、アドレス情報格納部（１０４）への変換データの登録が完了した時点で、移動体通信端末装置（１００）の具備する表示部上に「電話番号案内装置から通知されたアドレス情報の登録完了」を意味する情報を表示することになる（ステップＡ６）。これにより、移動体通信端末装置（１００）の保持する利用者に対して、電話番号検索条件情報に該当するアドレス情報を電話番号案内装置（２００）から受信した旨を通知することが可能となる。
【００５７】
最後に、利用者は、移動体通信端末装置（１００）の具備する操作部を用いて、アドレス情報格納部（１０４）に格納されたアドレス情報を読み出し、アドレス情報格納部（１０４）に新規に登録された電話番号、すなわち、電話番号案内装置（２００）から通知された電話番号を選択し、ダイアリング機能を利用することで、移動体通信端末装置（１００）の具備する操作部上からキー入力を行うことなく、電話番号案内装置（２００）から通知された電話番号へのダイアリングを行うことになる（ステップＡ７）。
【００５８】
（本発明のアドレス情報通知システムによる効果）
このように、本発明のアドレス情報通知システムは、移動体通信端末装置（１００）が電話番号案内装置（２００）に要求した電話番号案内に対応したアドレス情報を、データ形式で電話番号案内装置（２００）が移動体通信端末装置（１００）に送信することになり、移動体通信端末装置（１００）は、電話番号案内装置（２００）が送信したデータ形式のアドレス情報を受信し、移動体通信端末装置（１００）は、その受信したデータ形式のアドレス情報を、移動体通信端末装置（１００）固有のアドレス情報のデータ形式に変換し、その移動体通信端末装置（１００）固有のアドレス情報に変換した変換データを、移動体通信端末装置（１００）の具備するアドレス情報格納部（１０４）に格納することになる。このため、移動体通信端末装置（１００）を保持する利用者は、電話番号案内装置（２００）から受信したアドレス情報に含まれる電話番号を移動体通信端末装置（１００）の具備するアドレス情報格納部（１０４）に登録するための操作を行う必要がなくなり、誤入力を防止することが可能となる。
【００５９】
また、電話番号案内装置（２００）から受信したアドレス情報を、移動体通信端末装置（１００）の具備するアドレス情報格納部（１０４）に格納し、移動体通信端末装置（１００）の具備する操作部を用いて、アドレス情報格納部（１０４）に格納されたアドレス情報を読み出し、アドレス情報格納部（１０４）に格納された電話番号を選択し、ダイアリング機能を利用することで、移動体通信端末装置（１００）の具備する操作部上からキー入力を行うことなく、電話番号案内装置（２００）から通知された電話番号の通信端末装置へのダイアリングを行うことになり、誤ダイアリングを防止することが可能となる。
【実施例】
【００６０】
次に、具体的な実施例を用いて本発明を実施する形態の処理動作について説明する。
まず、利用者は、検索情報キーワードとして、“○○太郎”、“東京都港区”という電話番号検索条件情報を移動体通信端末装置（１００）の具備する操作部上から入力し、移動体通信端末装置（１００）の具備するデータ送受信手段（１０１）が電話番号案内装置（２００）に上記の電話番号検索条件情報を送信することになる（ステップＡ１）。
【００６１】
電話番号案内装置（２００）は、移動体通信端末装置（１００）が送信した電話番号検索条件情報を受信し、その受信した電話番号検索条件情報を基に、電話番号案内装置（２００）の具備する電話番号検索手段（２０２）により電話番号案内装置（２００）の具備する電話番号データベース（２０３）を検索することになる（ステップＢ１）。
【００６２】
なお、電話番号データベース（２０３）は、例えば、図３に示唆するように、少なくとも、氏名、住所、電話番号のアドレス情報が格納されており、また、その他の情報として、例えば、生年月日、電子メールアドレスなどのアドレス情報も格納されているものとする。
【００６３】
電話番号検索手段（２０２）は、移動体通信端末装置（１００）から受信した“○○太郎”、“東京都港区”の電話番号検索条件情報を基に、図３に示唆する情報が格納された電話番号データベース（２０３）を検索し、電話番号検索手段（２０２）は、その“○○太郎”、“東京都港区”の電話番号検索条件情報と合致する“０３−１２３４−５６７８”、“１９６０／０１／０１”、“ａａａ＠ｂｂｂ．ｃｏｍ”等のアドレス情報を電話番号データベース（２０３）から取得し、その取得したアドレス情報と、電話番号検索条件情報と、をデータ作成手段（２０４）に送信することになる。
【００６４】
データ作成手段（２０４）は、電話番号検索手段（２０２）から受信したアドレス情報と電話番号検索条件情報とを基に、移動体通信端末装置（１００）に送信する送信データを、図４に示唆するようなデータ形式で作成し（ステップＢ２）、その作成した送信データをデータ送受信手段（２０１）に送信し、データ送受信手段（２０１）は、データ作成手段（２０４）が作成した図４に示唆する送信データを移動体通信端末装置（１００）に送信することになる（ステップＢ３）。
【００６５】
移動体通信端末装置（１００）の具備するデータ送受信手段（１０１）は、電話番号案内装置（２００）が送信した送信データを受信し、その受信した送信データをデータ変換手段（１０２）に送信することになる。そして、データ変換手段（１０２）は、電話番号案内装置（２００）から受信した送信データを、移動体通信端末装置（１００）固有のアドレス情報のデータ形式に変換することになる（ステップＡ４）。
【００６６】
例えば、移動体通信端末装置（１００）の具備するアドレス情報格納部（１０４）のデータ形式が、図５に示唆するようなデータ形式で格納されている場合は、データ変換手段（１０２）は、図４に示唆する送信データを、図５に示唆するデータ形式のアドレス情報に変換することになる。そして、データ変換手段（１０２）は、図５に示唆するデータ形式に変換したアドレス情報をデータ登録手段（１０３）に送信することになる。そして、データ登録手段（１０３）は、図５に示唆するデータ形式に変換したアドレス情報を、アドレス情報格納部（１０４）に格納することになる（ステップＡ５）。
【００６７】
なお、図５に示唆するアドレス情報には、アドレス情報格納部（１０４）に格納する情報として、電話番号データベース（２０３）に存在しない「電話番号２」という付加情報が存在するが、この電話番号データベース（２０３）に存在しない付加情報については、「電話番号２」に該当するデータを格納せずに（データ無しとして）処理を行うことになる。
【００６８】
このように、本発明のアドレス情報通知システムにおける電話番号案内は、電話番号案内装置（２００）が、移動体通信端末装置（１００）から通知された特定の電話番号検索条件情報に基づいて電話番号データベース（２０３）を検索し、その電話番号データベース（２０３）から検索された氏名、電話番号を含有する送信データを作成し、その作成した送信データを移動体通信端末装置（１００）に送信することになる。そして、移動体通信端末装置（１００）が、電話番号案内装置（２００）から受信した送信データを各移動体通信端末装置固有のアドレス情報に変換し、その変換したアドレス情報を移動体通信端末装置（１００）の具備するアドレス情報格納部（１０４）に登録することになる。これにより、電話番号案内装置（２００）から通知された氏名、電話番号を含有する送信データを、利用者の移動体通信端末装置のアドレス情報に自動的に登録することになる。したがって、利用者は、特別な自動ダイアリングプログラムを用いることなく、アドレス情報格納部（１０４）に自動登録された電話番号に対してダイアリングを行うことが可能となる。
【００６９】
なお、上記のアドレス情報通知システムにおける処理動作であるアドレス情報通知処理をプログラムとして、上記のアドレス情報通知システムを構成する移動体通信端末装置（１００）と、電話番号案内装置（２００）と、において実行させることも可能である。この場合は、アドレス情報通知システムを構成する移動体通信端末装置（１００）と、電話番号案内装置（２００）とは、上述したアドレス情報通知処理を実行する制御部を具備することになる。なお、この制御部は、専用のハードウエアにより実現されるものであってもよく、また、その制御部はメモリおよびＣＰＵ（中央処理装置）により構成され、アドレス情報通知処理を実現するためのプログラムをメモリに読み込み、その読み込んだプログラムを実行することでアドレス情報通知処理を実現することも可能である。
【００７０】
また、アドレス情報通知処理の各処理工程を実現するためのプログラムをコンピュータ読取可能な記録媒体に記録し、この記録媒体に記録されたプログラムを情報処理装置に読み込ませてアドレス情報通知処理を実行することも可能である。なお、情報処理装置とは、ＯＳや周辺機器等のハードウエアを含むものである。
【００７１】
なお、上述する実施例は、本発明の好適な実施例であり、上記実施例のみに本発明の範囲を限定するものではなく、本発明の要旨を逸脱しない範囲において種々の変更を施した形態での実施が可能である。
【産業上の利用可能性】
【００７２】
本発明にかかるアドレス情報案内装置、通信端末装置、アドレス情報通知システム、アドレス情報通知方法及びプログラムは、携帯電話機等の通信端末装置を利用した電話番号案内サービスに適用可能である。
【図面の簡単な説明】
【００７３】
【図１】本発明にかかるアドレス情報通知システムのシステム構成を示唆するブロック図である。
【図２】図１に示唆するアドレス情報通知システムにおける処理動作を示唆するシーケンスチャートである。
【図３】本発明にかかるアドレス情報通知システを構成する電話番号案内装置（２００）の具備する電話番号データベース（２０３）に格納されるデータ構成を示唆する図である。
【図４】電話番号案内装置（２００）の具備するデータ作成手段（２０４）にて作成されるデータ構成を示唆する図である。
【図５】本発明にかかるアドレス情報通知システムを構成する移動体通信端末装置（１００）の具備するアドレス情報格納部（１０４）に格納されるデータ例を示唆する図である。
【符号の説明】
【００７４】
１００    移動体通信端末装置
１０１    データ送受信手段
１０２    データ変換手段
１０３    データ登録手段
１０４    アドレス情報格納部
２００    電話番号案内装置
２０１    データ送受信手段
２０２    電話番号検索手段
２０３    電話番号データベース
２０４    データ作成手段
３００    ネットワーク
【図１】
2005260568.tif 000003
【図２】
2005260568.tif 000004
【図３】
2005260568.tif 000005
【図４】
2005260568.tif 000006
【図５】
2005260568.tif 000007